(57)【要約】【課題】組み立て作業の簡素化に寄与することができる筐体並びに電子機器およびその組み立て方法を提供する。【解決手段】コネクタ２４はリブ３５の傾斜面３８に受け止められる。コネクタ２４が傾斜面３８に沿って移動すると、コネクタ２４は壁体２２の開口２３に近づくにつれて底板２１に近づく。コネクタ２４の円筒部２５は開口２３に進入していく。コネクタ２４が傾斜面３８から底板２１に向かって離脱すると、コネクタ２４はリブ３５のロック面３６および壁体２２の間に挟み込まれる。円筒部２５は開口２３に受け入れられる。こうした電子機器１１では、コネクタ２４は、円筒部２５で開口２３内に保持されると同時にロック面３６および壁体２２の間に挟み込まれる。こうしてコネクタ２４は筐体１２ａに嵌め込まれる。筐体１２ａからコネクタ２４の脱落は確実に回避される。電子機器１１の組み立て作業は簡素化される。【選択図】図６
2008070985.tif 000002
【特許請求の範囲】
【請求項１】
底板と、底板の表面から垂直方向に立ち上がり、開口を区画する壁体と、底板の表面から立ち上がるリブとを備え、リブには、底板の表面から垂直方向に立ち上がって壁体との間に任意の直方体空間を挟み込むロック面と、ロック面の上端に接続され、開口から遠ざかるにつれて底板の表面から遠ざかる傾斜面とが区画されることを特徴とする筐体。
【請求項２】
底板の表面から垂直方向に立ち上がる壁体を区画する筐体と、壁体に区画される開口と、開口に受け入れられる円筒部でプラグを受け止めるコネクタと、底板の表面から立ち上がって、垂直方向に広がるロック面で壁体との間にコネクタを挟み込むリブとを備え、リブには、ロック面の上端に接続され、開口から遠ざかるにつれて底板の表面から遠ざかる傾斜面が区画されることを特徴とする電子機器
【請求項３】
底板から垂直方向に立ち上がる壁体から隔てられるリブに区画され壁体に近づくにつれて底板に近づく傾斜面に沿ってコネクタを移動させる工程と、壁体に区画される開口に、傾斜面に沿って移動するコネクタの円筒部を進入させる工程と、円筒部の進入後に、傾斜面から底板に向かってコネクタを離脱させ、傾斜面の前端に接続されて壁体から隔てられた位置で垂直方向に広がるロック面および壁体の間にコネクタを挟み込む工程とを備えることを特徴とする電子機器の組み立て方法。
【発明の詳細な説明】
【技術分野】
【０００１】
本発明は、例えばノートブックパーソナルコンピュータ（ノートパソコン）といった電子機器に関し、特に、開口を区画する筐体と、開口に受け入れられる円筒部でプラグを受け止めるコネクタとを備える電子機器に関する。
【背景技術】
【０００２】
例えばノートパソコンではＡＣアダプタが利用される。ＡＣアダプタの利用にあたってノートパソコンには電源コネクタが搭載される。電源コネクタは円筒部でＡＣアダプタのプラグを受け入れる。電源コネクタの円筒部は筐体に区画される開口に受け入れられる。
【特許文献１】特開平５−２７５８６８号公報
【特許文献２】特開平６−３２６４７９号公報
【発明の開示】
【発明が解決しようとする課題】
【０００３】
ノートパソコンの筐体はベースを備える。ベースにはカバーが連結される。こうしてベースとカバーとの間にマザーボードその他の電子部品が収容される。前述の開口はベースの周壁に区画される切り欠きと、ベースの周壁に連結されて切り欠きを塞ぐカバーとで区画される。
【０００４】
電源コネクタの組み込みにあたって円筒部は切り欠きに上方からはめ込まれる。電源コネクタの配線は例えばマザーボードに連結される。このとき、配線の弾性力に基づき電源コネクタは切り欠きから外れやすい。カバーがベースに連結されるまで電源コネクタは切り欠き内に保持されなければならない。組み立て作業は煩雑化する。
【０００５】
本発明は、上記実状に鑑みてなされたもので、組み立て作業の簡素化に寄与することができる筐体並びに電子機器およびその組み立て方法を提供することを目的とする。
【課題を解決するための手段】
【０００６】
上記目的を達成するために、第１発明によれば、底板の表面から垂直方向に立ち上がる壁体を区画する筐体と、壁体に区画される開口と、開口に受け入れられる円筒部でプラグを受け止めるコネクタと、底板の表面から立ち上がって、垂直方向に広がるロック面で壁体との間にコネクタを挟み込むリブとを備え、リブには、ロック面の上端に接続され、開口から遠ざかるにつれて底板の表面から遠ざかる傾斜面が区画されることを特徴とする電子機器が提供される。
【０００７】
コネクタが筐体に組み込まれる際、コネクタはリブの傾斜面に受け止められる。コネクタが傾斜面に沿って移動すると、コネクタは壁体の開口に近づくにつれて底板に近づいていく。このとき、コネクタの円筒部は開口に進入していく。コネクタが傾斜面から底板に向かって離脱すると、コネクタはリブのロック面および壁体の間に挟み込まれる。円筒部は開口内に保持される。こうしてコネクタは筐体に組み込まれる。
【０００８】
こうした電子機器では、コネクタは、円筒部で開口内に保持されると同時に、リブのロック面および壁体の間に挟み込まれる。こうしてコネクタは筐体に嵌め込まれることができる。電子機器の組み立てにあたって、筐体からコネクタの脱落は確実に回避される。電子機器の組み立て作業は簡素化されることができる。
【０００９】
しかも、前述されるように、コネクタはリブのロック面および壁体の間に挟み込まれる。例えばプラグがコネクタに接続される際、プラグはコネクタの円筒部に押し込まれる。こうしてコネクタには筐体内に向かって押し込み力が作用する。このとき、ロック面はコネクタを受け止める。ロック面は押し込み力を受け止めることができる。こうしたロック面の働きで筐体内に向かってコネクタの変位は確実に回避される。
【００１０】
第２発明によれば、底板と、底板の表面から垂直方向に立ち上がり、開口を区画する壁体と、底板の表面から立ち上がるリブとを備え、リブには、底板の表面から垂直方向に立ち上がって壁体との間に任意の直方体空間を挟み込むロック面と、ロック面の上端に接続され、開口から遠ざかるにつれて底板の表面から遠ざかる傾斜面とが区画されることを特徴とする筐体が提供される。
【００１１】
こうした筐体は前述の電子機器の実現に大いに貢献することができる。例えばコネクタは、円筒部で開口内に保持されると同時に、リブのロック面および壁体の間で直方体空間に配置される。こうしてコネクタは筐体に嵌め込まれることができる。電子機器の組み立てにあたって、筐体からコネクタの脱落は確実に回避される。電子機器の組み立て作業は簡素化されることができる。
【００１２】
第３発明によれば、底板から垂直方向に立ち上がる壁体から隔てられるリブに区画され壁体に近づくにつれて底板に近づく傾斜面に沿ってコネクタを移動させる工程と、壁体に区画される開口に、傾斜面に沿って移動するコネクタの円筒部を進入させる工程と、円筒部の進入後に、傾斜面から底板に向かってコネクタを離脱させ、傾斜面の前端に接続されて壁体から隔てられた位置で垂直方向に広がるロック面および壁体の間にコネクタを挟み込む工程とを備えることを特徴とする電子機器の組み立て方法が提供される。
【００１３】
こうした組み立て方法によれば、コネクタは、円筒部で開口内に保持されると同時に、リブのロック面および壁体の間に挟み込まれる。こうしてコネクタは筐体に嵌め込まれることができる。電子機器の組み立てにあたって、筐体からコネクタの脱落は確実に回避される。電子機器の組み立て作業は簡素化されることができる。
【発明の効果】
【００１４】
以上のように本発明によれば、組み立て作業の簡素化に寄与することができる筐体並びに電子機器およびその組み立て方法が提供される。
【発明を実施するための最良の形態】
【００１５】
以下、添付図面を参照しつつ本発明の一実施形態を説明する。
【００１６】
図１は本発明の一実施形態に係る電子機器の一具体例すなわちノートブックパーソナルコンピュータ（ノートパソコン）１１の外観を概略的に示す。このノートパソコン１１は、薄型の第１筐体すなわち本体筐体１２と、この本体筐体１２に揺動自在に連結される第２筐体すなわちディスプレイ用筐体１３とを備える。本体筐体１２は、ベース１２ａと、ベース１２ａに着脱自在に結合されるカバー１２ｂとを備える。カバー１２ｂの表面にはキーボード１４やポインティングデバイス１５といった入力装置が組み込まれる。利用者はこういった入力装置１４、１５から指示やデータを入力することができる。
【００１７】
ディスプレイ用筐体１３には例えばＬＣＤ（液晶ディスプレイ）パネルモジュール１６が組み込まれる。ＬＣＤパネルモジュール１６の画面は、ディスプレイ用筐体１３に区画される窓孔１７に臨む。画面にはテキストやグラフィックスが表示されることができる。利用者はそういったテキストやグラフィックスに基づきノートパソコン１１の動作を確認することができる。ディスプレイ用筐体１３は、本体筐体１２に対する揺動を通じて本体筐体１２に重ね合わせられることができる。
【００１８】
本体筐体１２にはＡＣアダプタ１８のプラグ１９が差し込まれる。プラグ１９は例えば雄コネクタを構成する。ＡＣアダプタ１８には例えばコンセント（図示されず）から交流電流が供給される。ＡＣアダプタ１８の働きで交流電流は直流電流に変換される。こうして変換された直流電流はプラグ１９からノートパソコン１１に供給される。
【００１９】
図２に示されるように、ベース１２ａは、底板２１と、底板２１の表面から垂直方向に立ち上がる壁体２２とを区画する。壁体２２には開口２３が区画される。開口２３は例えば円柱状の空間を規定する。開口２３には、本体筐体１２内に収容される電源コネクタ２４の円筒部２５が受け入れられる。こうして円筒部２５の前端は開口２３内に配置される。電源コネクタ２４は円筒部２５でプラグ１９を受け止める。電源コネクタ２４は例えば雌コネクタを構成する。
【００２０】
図３に示されるように、本体筐体１２内には前述の電源コネクタ２４が収容される。電源コネクタ２４の円筒部２５はプラグ１９の円筒部２６を受け入れる。電源コネクタ２４は前端で円筒部２５を区画する例えば樹脂製の本体２７を備える。本体２７は例えば直方体に形成される。本体２７の両側面にはそれぞれ１対の突片２８、２８が区画される。突片２８同士は相互に並行に延びればよい。突片２８は本体２７の高さ方向に延びる。
【００２１】
本体２７には例えば２本の配線２９、２９の一端が取り付けられる。配線２９、２９の他端にはコネクタ３１が取り付けられる。コネクタ３１は、本体筐体１２内に収容されるプリント基板３２上のコネクタ３３に連結される。その結果、プラグ１９および電源コネクタ２４の間で接続が確立されると、コンセントからプリント基板３２上の電子部品やＣＰＵ、メモリに電力は供給されることができる。
【００２２】
ベース１２ａの底板２１には、底板２１の表面から立ち上がる１対のリブ３５、３５が区画される。リブ３５、３５は突片２８の後方で本体２７を挟み込む。図４に示されるように、リブ３５には、底板２１の表面から垂直方向に立ち上がるロック面３６が区画される。ロック面３６は壁体２２との間に任意の直方体空間３７を挟み込む。直方体空間３７に本体２７の突片２８、２８が配置される。
【００２３】
例えばプラグ１９が電源コネクタ２４に接続される際、プラグ１９の円筒部２６は電源コネクタ２４の円筒部２５に押し込まれる。こうして電源コネクタ２４には本体筐体１２内に向かって押し込み力が作用する。このとき、ロック面３６は後側の突起２８を受け止める。こうしてロック面３６は押し込み力を受け止めることができる。こうしたロック面３６の働きで本体筐体１２内に向かって電源コネクタ２４の変位は確実に回避される。
【００２４】
リブ３５は、ロック面３６の上端に接続される傾斜面３８を区画する。傾斜面３８は、開口２３から遠ざかるにつれて底板２１の表面から遠ざかる。こうした傾斜面３８は、後述されるように、本体筐体１２に電源コネクタ２４が組み込まれる際に利用される。こういったリブ３５はベース１２ａの底板２１に一体化されればよい。
【００２５】
いま、本体筐体１２に電源コネクタ２４が組み込まれる場面を想定する。まず、図５に示されるように、本体２７は突片２８、２８の下端でリブ３５の傾斜面３８に受け止められる。傾斜面３８の傾斜に基づき本体２７では傾斜姿勢が確立される。突片２８、２８は傾斜面３８に沿ってスライド移動する。本体２７は、開口２３に近づくにつれて底板２１に近づく。こうして円筒部２５は開口２３に進入していく。このとき、円筒部２５の上端は開口２３の縁に接触し続ける。
【００２６】
図６に示されるように、前側の突片２８の前端が開口２３の縁に受け止められると、後側の突片２８は傾斜面３８の前端に受け止められる。その結果、本体２７のスライド移動は停止する。このとき、前側の突片２８と開口２３の縁との接点４１を回転中心にして本体２７には回転力が加えられる。こうして本体２７は接点４１を回転中心に回転移動する。その結果、後側の突片２８の弾性変形に基づき後側の突片２８の後端は傾斜面３８から直方体空間３７に向かって離脱する。
【００２７】
ここで、接点４１から後側の突片２８の後端までの距離Ｌ１は、接点４１から傾斜面３８の前端までの距離Ｌ２よりも大きく設定されればよい。こうして距離Ｌ１が距離Ｌ２よりも大きく設定されれば、本体２７の回転移動時にリブ３５は後側の突片２８に干渉する。こうした干渉に基づき、図７に示されるように、突片２８、２８はロック面３６および壁体２２の間に嵌め込まれる。同時に、円筒部２５は開口２３に受け入れられる。ベース１２ａから電源コネクタ２４の脱落は確実に回避される。その後、コネクタ３１はプリント基板３２上のコネクタ３３に接続される。
【００２８】
本体筐体１２の組み立てにあたって、ベース１２ａにはカバー１２ｂが結合される。電源コネクタ２４は突起２８、２８でロック面３６および壁体２２の間に嵌め込まれる。その結果、配線２９の弾性力にも拘わらず電源コネクタ２４はベース１２ａに保持される。カバー１２ｂの結合にあたって、電源コネクタ２４に気が配られる必要はない。組み立て作業は簡素化される。
【００２９】
以上のような電源コネクタ２４は、ノートパソコン１１といった電子機器に代えて、例えば情報処理端末（ＰＤＡ）や携帯電話端末装置、ディスプレイ装置といった電子機器に組み込まれてもよい。
【図面の簡単な説明】
【００３０】
【図１】本発明に係る電子機器の一具体例すなわちノートブックパーソナルコンピュータの外観を概略的に示す斜視図である
【図２】筐体の開口内に配置される円筒部を概略的に示す部分拡大斜視図である。
【図３】コネクタの構造を概略的に示す部分拡大平面図である。
【図４】コネクタおよびリブの関係を示す部分拡大断面図である。
【図５】図４に対応し、コネクタが筐体に組み込まれる様子を概略的に示す部分拡大断面図である。
【図６】図４に対応し、コネクタが筐体に組み込まれる様子を概略的に示す部分拡大断面図である。
【図７】図４に対応し、コネクタが筐体に組み込まれる様子を概略的に示す部分拡大断面図である。
【符号の説明】
【００３１】
１１  電子機器（ノートブックパーソナルコンピュータ）、１２ａ  筐体（ベース）、１９  プラグ、２１  底板、２２  壁体、２３  開口、２４  コネクタ（電源コネクタ）、２５  円筒部、３５  リブ、３６  ロック面、３７  直方体空間、３８  傾斜面。
【図１】
2008070985.tif 000003
【図２】
2008070985.tif 000004
【図３】
2008070985.tif 000005
【図４】
2008070985.tif 000006
【図５】
2008070985.tif 000007
【図６】
2008070985.tif 000008
【図７】
2008070985.tif 000009